(57)【要約】  本発明は、顔料ベースのインクジェットインクおよびインクセットに関する。より具体的には本発明は、ある種の顔料組合せを含んでなる、色が赤、緑または青色であるインクに関する。本発明はさらに、少なくとも１つの赤、緑または青色インクを含んでなるインクセットに、最も好ましくは、シアン、マゼンタ、黄、赤、青および緑色インクを含む少なくとも６つの異なる色に着色されたインクのインクセットに関する。【特許請求の範囲】
【請求項１】
顔料着色剤およびビヒクルを含み、かつ、赤、緑および青からなる群から選択された色を有する着色インクジェットインクであって、
（ａ）前記着色インクジェットインクが赤色である場合、前記顔料着色剤が少なくとも１つのマゼンタ顔料と少なくとも１つのイエロー顔料との混合物を含み、
（ｂ）前記着色インクジェットインクが緑色である場合、前記顔料着色剤が少なくとも１つのシアン顔料と少なくとも１つのイエロー顔料との混合物を含み、そして
（ｃ）前記着色インクジェットインクが青色である場合、前記顔料着色剤が少なくとも１つのマゼンタ顔料と少なくとも１つのシアン顔料との混合物を含む
ことを特徴とするインクジェットインク。
【請求項２】
前記インク中に存在する顔料着色剤の総量が前記インクの総重量を基準にして少なくとも約１重量％であることを特徴とする請求項１に記載のインクジェットインク。
【請求項３】
（ａ）前記インクが赤色であり、そしてＭ：Ｙの重量比が約２：１〜約１：２である、または
（ｂ）前記インクが緑色であり、そしてＣ：Ｙの重量比が約２：１〜約１：２である、または
（ｃ）前記インクが青色であり、そしてＭ：Ｃの重量比が約２：１〜約１：２である
ことを特徴とする請求項１に記載のインクジェットインク。
【請求項４】
前記インクが赤色であり、前記少なくとも１つのマゼンタ顔料がＰＲ１２２およびＰＲ２０２からなる群から選択され、そして前記少なくとも１つのイエロー顔料がＰＹ７４、ＰＹ９５、ＰＹ１１０、ＰＹ１２８およびＰＹ１５５からなる群から選択されることを特徴とする請求項１に記載のインクジェットインク。
【請求項５】
前記インクが緑色であり、前記少なくとも１つのシアン顔料がＰＢ１５：３およびＰＢ１５：４からなる群から選択され、そして前記少なくとも１つのイエロー顔料がＰＹ７４、ＰＹ９５、ＰＹ１１０、ＰＹ１２８およびＰＹ１５５からなる群から選択されることを特徴とする請求項１に記載のインクジェットインク。
【請求項６】
前記インクが青色であり、前記少なくとも１つのマゼンタ顔料がＰＲ１２２およびＰＲ２０２からなる群から選択され、そして前記少なくとも１つのシアン顔料がＰＢ１５：３およびＰＢ１５：４からなる群から選択されることを特徴とする請求項１に記載のインクジェットインク。
【請求項７】
前記ビヒクルが水性ビヒクルであることを特徴とする請求項１に記載のインクジェットインク。
【請求項８】
少なくとも４つの異なる色に着色されたインクを含むインクジェット・インクセットであって、
前記異なる色に着色されたインクが請求項１〜７のいずれか一項に記載の赤、緑または青色インクであることを特徴とするインクセット。
【請求項９】
少なくとも１つのインクがマゼンタ顔料を含む顔料入りマゼンタインクであり、少なくとも１つのインクがイエロー顔料を含む顔料入り黄色インクであり、そして少なくとも１つのインクがシアン顔料を含む顔料入りシアンインクであることを特徴とする請求項８に記載のインクジェット・インクセット。
【請求項１０】
前記赤、緑および／または青色インク中の前記マゼンタ、イエローおよびシアン顔料が、それぞれ、顔料入りマゼンタインク、顔料入り黄色インクおよび顔料入りシアンインク中と同じものであることを特徴とする請求項９に記載のインクジェット・インクセット。
【請求項１１】
顔料入りマゼンタインク、顔料入り黄色インク、顔料入りシアンインク、顔料入り赤色インク、顔料入り緑色インクおよび顔料入り青色インクを含む請求項８に記載のインクジェット・インクセット。
【請求項１２】
（ａ）色がシアンであり、約１８０〜約２５０の色相角を有し、かつ、第１ビヒクルおよびシアン顔料を含む第１の顔料入りインクジェットインク、
（ｂ）色が黄であり、約７０〜約１２０の色相角を有し、かつ、第２ビヒクルおよびイエロー顔料を含む第２の顔料入りインクジェットインク、
（ｃ）色がマゼンタであり、約３２０〜約１０の色相角を有し、かつ、第３ビヒクルおよびマゼンタ顔料を含む第３の顔料入りインクジェットインク、
（ｄ）色が青であり、約２５０〜約３２０の色相角を有し、かつ、第４ビヒクルおよびブルー顔料着色剤を含む第４の顔料入りインクジェットインク、
（ｅ）色が赤であり、約１０〜約７０の色相角を有し、かつ、第５ビヒクルおよびレッド顔料着色剤を含む第５の顔料入りインクジェットインク、ならびに
（ｆ）色が緑であり、約１２０〜約１８０の色相角を有し、かつ、第６ビヒクルおよびグリーン顔料着色剤を含む第６の顔料入りインクジェットインク
を含むインクジェット・インクセット。
【請求項１３】
第４、第５または第６の顔料入りインクジェットインクの少なくとも１つ中の前記顔料着色剤が、前記第１の顔料入りインク中のシアン顔料、前記第２の顔料入りインク中のマゼンタ顔料、および前記第３の顔料入りインク中のイエロー顔料からなる群から選択された少なくとも２つの顔料の混合物を含むことを特徴とする請求項１２に記載のインクジェット・インクセット。
【請求項１４】
それぞれのインクの総重量を基準にして、前記第１、第２および第３インクのそれぞれ中の顔料含量が個々に約１．５重量％〜約４重量％であり、そして前記第４、第５および第６インクのそれぞれ中の顔料含量が個々に約４重量％〜約９重量％であることを特徴とする請求項１３に記載のインクジェット・インクセット。
【請求項１５】
前記第１、第２、第３、第４、第５および第６インクのそれぞれ中の顔料含量が、それぞれのインクの総重量を基準にして個々に約１．５重量％〜約４重量％であることを特徴とする請求項１３に記載のインクジェット・インクセット。
【請求項１６】
（ａ）前記第１の顔料入りインクジェットインク中のシアン顔料がＰＢ１５：３および／またはＰＢ１５：４、ならびにそれらの組合せからなる群から選択され、
（ｂ）前記第２の顔料入りインクジェットインク中のマゼンタ顔料がＰＲ１２２およびＰＲ２０２、ならびにそれらの組合せからなる群から選択され、
（ｃ）前記第３の顔料入りインクジェットインク中のイエロー顔料がＰＹ７４、ＰＹ９５、ＰＹ１１０、ＰＹ１２８およびＰＹ１５５、ならびにそれらの組合せからなる群から選択され、
（ｄ）前記第４の顔料入りインクジェットインクがＰＢ６０、ＰＶ２３、シアン−マゼンタ顔料混合物からなる群から選択されたブルー顔料着色剤であって、前記マゼンタ顔料がＰＲ１２２およびＰＲ２０２からなる群から選択され、そして前記シアン顔料がＰＢ１５：３およびＰＢ１５：４、ならびにそれらの組合せからなる群から選択されるブルー顔料着色剤を含んでなり、
（ｅ）前記第５の顔料入りインクジェットインクがＰＯ３４、ＰＲ１４９、ＰＲ１７７、ＰＲ１７８、ＰＲ２６４、イエロー−マゼンタ顔料混合物からなる群から選択されたレッド顔料着色剤であって、前記マゼンタ顔料がＰＲ１２２およびＰＲ２０２からなる群から選択され、そして前記イエロー顔料がＰＹ７４、ＰＹ９５、ＰＹ１１０、ＰＹ１２８およびＰＹ１５５、ならびにそれらの組合せからなる群から選択されるレッド顔料着色剤を含み、
（ｆ）前記第６の顔料入りインクジェットインクがＰＧ３６、およびイエロー−シアン顔料混合物からなる群から選択されたグリーン顔料着色剤であって、前記シアン顔料がＰＢ１５：３およびＰＢ１５：４からなる群から選択され、そして前記イエロー顔料がＰＹ７４、ＰＹ９５、ＰＹ１１０、ＰＹ１２８およびＰＹ１５５、ならびにそれらの組合せからなる群から選択されるグリーン顔料着色剤を含む
ことを特徴とする請求項１２または１３に記載のインクジェット・インクセット。
【請求項１７】
水性顔料ベースの黒色インクである第７インクをさらに含む請求項１２に記載のインクジェット・インクセット。
【請求項１８】
請求項１〜７のいずれか一項に記載のインクジェットインク、または請求項８〜１７のいずれか一項に記載のインクジェット・インクセットを装着したインクジェットプリンター。
【請求項１９】
ページ幅プリントヘッド・アレイを装備した、請求項１８に記載のインクジェットプリンター。
【請求項２０】
（ａ）デジタルデータ信号に応答するインクジェットプリンターを提供する工程と、
（ｂ）印刷されるべき基材を前記プリンターに装着する工程と、
（ｃ）請求項１〜７のいずれか一項に記載のインクジェットインク、または請求項８〜１７のいずれか一項に記載のインクジェット・インクセットを前記プリンターに装着する工程と、
（ｄ）前記デジタルデータ信号に応答して前記インクジェットインクを用いて前記基材へ印刷する工程と
を含む、基材へのインクジェット印刷方法。
【発明の詳細な説明】
【技術分野】
【０００１】
本発明は、顔料ベースのインクジェットインクおよびインクセットに関する。より具体的には本発明は、ある種の顔料組合せを含んでなる、色が赤、緑または青色であるインクに関する。本発明はさらに、少なくとも１つの赤、緑または青色インクを含んでなるインクセットに、最も好ましくは、シアン、マゼンタ、黄、赤、青および緑色インクを含む少なくとも６つの異なる色に着色されたインクのインクセットに関する。
【背景技術】
【０００２】
インクジェット印刷は、インクの小滴が紙などの基材上に沈着されて所望の画像を形成するノンインパクト印刷法である。小滴はマイクロプロセッサによって生み出された電気的信号に応答してプリントヘッドから噴出される。インクジェットプリンターは低コスト高品質印刷を提供し、他のタイプのプリンターの人気ある代替品になってきた。
【０００３】
顔料含有インクの色特性は、印刷されたインクジェット画像の品質で重要な役割を果たす。知覚色品質は、当該技術でよく知られているように、ＣＩＥＬＡＢ（ＣＩＥ  Ｎｏ．１５．２、比色分析（Ｃｏｌｏｒｉｍｅｔｒｙ）、第２版、Ｃｏｍｍｉｓｓｉｏｎ  Ｉｎｔｅｒｎａｔｉｏｎａｌｅ  ｄｅ  ｌ’Ｅｃｌａｒａｇｅ、オーストリア国ウィーン（Ｖｉｅｎｎａ，Ａｕｓｔｒｉａ）、１９８６年）またはマンセル（Ｍｕｎｓｅｌｌ）（Ｍｕｎｓｅｌｌ  Ｂｏｏｋ  ｏｆ  Ｃｏｌｏｒ，Ｍｕｎｓｅｌｌ  Ｃｏｌｏｒ  Ｃｏ．、メリーランド州バルチモア（Ｂａｌｔｉｍｏｒｅ，ＭＤ）、１９２９年）などの幾つかの色−空間系の任意の１つを用いて特徴づけることができる。マンセル色空間に関して、所与の色は３つの用語、すなわち色相、明度および彩度を用いて定義される。ＣＩＥＬＡＢ色空間に関して、色は、３つの用語Ｌ*、ａ*およびｂ*を用いて定義される。この系でＬ*は色の明るさを規定し、それは０（黒）〜１００（白）の範囲である。用語ａ*およびｂ*は一緒になって色相を規定し、ここでａ*は負数（緑）〜正数（赤）の範囲であり、ｂ*は負数（青）〜正数（黄）の範囲である。色相角（ｈ°）および彩度（Ｃ*）などの追加の用語もまた、ａ*およびｂ*の代わりに所与の色を記載するために用いることができ、ここで、
【０００４】
【数１】
2008504399.tif 000002
【０００５】
【数２】
2008504399.tif 000003
【０００６】
フルカラー画像を達成するために、インクジェットプリンターは典型的にはシアン（「Ｃ」）、マゼンタ（「Ｍ」）および黄色（「Ｙ」）インクを用いる。これらの色は、光が着色剤を通過するにつれてそれが減じられるので、減法混色の原色として知られる。これらの色が対で混合される時それらは赤、緑および青（いわゆる「二次色」）を形成し、そしてすべてが一緒に混合される時それらは黒を形成する。このように、これらの３色インクは、良好な色度および／または色飽和で全体範囲の色相を印刷するために使用することができる。
【０００７】
所与のインクセットが印刷できる色の範囲は色域と呼ばれ、所与の基材にインクセットで印刷できる代表的な色のパレットを包含するＬ*ａ*ｂ*色空間での体積によってＣＩＥＬＡＢ系で記載することができる。ＣＭＹインクセットはすべての可能な色の色相を生み出すことができるが、色域は、人間の目で知覚することができる色すべてを包含しない。従って、印刷画像品質を向上させ、かつ、印刷できる色の範囲を拡大させるという要求は依然としてある。
【０００８】
画像品質または色域を向上させるための一方法は、印刷のために使用されるインクセットを拡大して追加インクを含めることである。拡大されたインクセットを用いる様々な方法がある。
【０００９】
一方法は、同じ色相だが、より低い濃度のインク（いわゆる「明るいもの」）を含めることによる。明色は、よりスムーズな色調の階調および明色を画像に生み出すことによって画像品質を向上させる。明色のためには、フル強度色の１０％〜２０％の着色剤含量を典型的に有する「明るい」または「写真」インクが使用される。中間強度色のためには、「明るい」およびフル強度インクが混合される。最も暗い色のためには、フル強度インク滴のみが使用される。こうして、色調のスムーズな階調を得ることができる。
【００１０】
「明るいもの」を使用することのさらなる利点は、それが画像上の暗いまばらに間隔が空いたドットの問題を有することなくフル強度インクの染料濃度をさらに上げさせることである。より高い濃度のインクは、高品質写真用紙上で混合された時により高い彩度の二次色を生み出し、かつ、それらはまた、より暗いＣＭＹプロセスブラックをも生み出す。これらの２つの効果は、色域を著しく高めるのに役立つ。
【００１１】
米国特許第５，８３３，７４３号明細書は、いかにして原色のそれぞれの３つ以下の異なる濃度を使用してＣＭＹインクセットから得られる色域を大きく増大させ得るかを開示している。黄はいかなる粒状性も好ましくないほどではないように十分に明るいので、典型的に「明るい」インクはシアンおよびマゼンタについてのみ使用される。
【００１２】
米国特許第６，５０９，９１６号明細書は、改善された階調再現を向上させ、かつ、色域を拡大するために、異なる色相の明るいインクが３色セットに追加される印刷方法を開示している。
【００１３】
拡大されたインクセットを用いることができる別の方法は、ＣＭＹ以外の色相のより多くのインクを含めることによる。印刷されるべき画像が多数のある種の色を含有し、その結果色がインクセットに特に追加される幾つかのケースでは、この追加インクはスポットカラーとして知られるものであってもよい。このスポットカラーは必ずしもＣＭＹインクセットの既存色域の外側にあるわけではない。所望の色が該色域の内側にあるケースでは、インクの追加は、単一インクが混合物よりもむしろ使用されるので、より少ないインクの使用という利点を依然として提供し、それはまた、他の色の混合物を使用することを回避することによって再び、改善された明るい色調を提供するかもしれない。別の例として、印刷されるべきデジタル画像は、既存のインクセットでは正確に印刷することが困難なある種の色を含有するかもしれず、当該色はインクセット用の追加インクとして選択することができる。
【００１４】
上に特定された公報のすべては、まるで完全に記載されているかのようにあらゆる目的のために本明細書に参照により援用される。
【００１５】
上記の技術は、具体的な問題に対処するために基本的なＣＭＹインクセットへの少しずつの追加を行うことによって画像品質を向上させようと試みるものであるが、解決策のどれも、明るい色調を再現するだけでなく写真およびコンピュータモニター画像を再現することができる色の範囲を本来提供しない。さらに、解決策の多くは、インクセットに色を追加することが簡単な事柄であると推測している。多くの従来の（非インクジェット）印刷方法ではそうかもしれないが、インクジェット印刷では、利用可能なインクスロットの数はプリンターデザインによって決定され、そしてまたプリントヘッドの幅および重量を制限する多インクジェット印刷のスキャニング性のために制限される。
【００１６】
「改善された色再現のためのインクジェット・インクセット（Ｉｎｋｊｅｔ  Ｉｎｋ  Ｓｅｔ  ｆｏｒ  Ｉｍｐｒｏｖｅｄ  Ｃｏｌｏｒ  Ｒｅｐｒｏｄｕｃｔｉｏｎ）」という表題の、米国仮特許出願第６０／５６４０６２号明細書（２００４年４月２１日出願）の優先権を主張する本願と所有権者を同じくする米国特許出願第１１／１０５２５８号明細書（２００５年、４月１３日出願）（それらの開示はまるで完全に記載されているかのようにあらゆる目的のために参照により援用される）は、６色染料ベースのインクセットを記載している。
【発明の開示】
【発明が解決しようとする課題】
【００１７】
従って、（ａ）色域拡大の系統的な方法を（ｂ）明るい色調、ハイライトおよびグルースケールの印刷方法と、（ｃ）限定数のインクチャネルを用いて統合するインクセットに対する必要性がある。さらに、これらの画像品質改善を顔料ベースのインクで達成して顔料着色剤の本質的により良好な色堅牢度を得る必要性がある。これらの問題に対処するインクジェットインクおよびインクセットを提供することが本発明の目的である。
【課題を解決するための手段】
【００１８】
本発明の一態様に従って、顔料着色剤およびビヒクル、好ましくは水性ビヒクルを含み、そして赤、緑および青からなる群から選択された色を有する着色インクジェットインクであって、
（ａ）着色インクジェットインクが赤色である場合、顔料着色剤が、好ましくは約２：１〜約１：２の重量比（Ｍ：Ｙ）で、少なくとも１つのマゼンタ顔料と少なくとも１つのイエロー顔料との混合物を含み、
（ｂ）着色インクジェットインクが緑色である場合、顔料着色剤が、好ましくは約２：１〜約１：２の重量比（Ｃ：Ｙ）で、少なくとも１つのシアン顔料と少なくとも１つのイエロー顔料との混合物を含み、そして
（ｃ）着色インクジェットインクが青色である場合、顔料着色剤が、好ましくは約２：１〜約１：２の重量比（Ｍ：Ｃ）で、少なくとも１つのマゼンタ顔料と少なくとも１つのシアン顔料との混合物を含む
インクジェットインクが提供される。
【００１９】
混合ＣＹＭ顔料から誘導された赤、緑および青色インクは、入手可能な単一の着色剤赤、緑または青色顔料と比較して望ましい色特性を提供することが分かった。
【００２０】
本発明の別の態様に従って、着色インクジェットインクの少なくとも１つが顔料着色剤およびビヒクル、好ましくは水性ビヒクルを含み、そして赤、緑および青からなる群から選択された色を有する、複数の着色インクジェットインクを含むインクジェット・インクセットであって、
（ａ）着色インクジェットインクが赤色である場合、顔料着色剤が、好ましくは約２：１〜約１：２の重量比（Ｍ：Ｙ）で、少なくとも１つのマゼンタ顔料と少なくとも１つのイエロー顔料との混合物を含み、
（ｂ）着色インクジェットインクが緑色である場合、顔料着色剤が、好ましくは約２：１〜約１：２の重量比（Ｃ：Ｙ）で、少なくとも１つのシアン顔料と少なくとも１つのイエロー顔料との混合物を含み、そして
（ｃ）着色インクジェットインクが青色である場合、顔料着色剤が、好ましくは約２：１〜約１：２の重量比（Ｍ：Ｃ）で、少なくとも１つのマゼンタ顔料と少なくとも１つのシアン顔料との混合物を含む
インクジェット・インクセットが提供される。
【００２１】
好ましくはインクセットは少なくとも４つの異なる着色インク、より好ましくはシアン、マゼンタ、イエローおよび赤、青または緑の少なくとも１つ、そしてさらにより好ましくは、それらのすべてが好ましくは顔料ベースであるＣＹＭＲＧＢを含む。インクセットはさらに好ましくはブラック顔料入りインクジェットインクを含む。
【００２２】
一次インク色で使用されるような二次インク色を形成するために同じＣＹＭ顔料を使用することによって、必要とされる異なる顔料および分散系の数は最小にされる。
【００２３】
本発明の別の態様に従って、
（ａ）色がシアンであり、約１８０〜約２５０の色相角を有し、かつ、第１ビヒクルおよびシアン顔料を含む第１の顔料入りインクジェットインク、
（ｂ）色が黄であり、約７０〜約１２０の色相角を有し、かつ、第２ビヒクルおよびイエロー顔料を含む第２の顔料入りインクジェットインク、
（ｃ）色がマゼンタであり、約３２０〜約１０の色相角を有し、かつ、第３ビヒクルおよびマゼンタ顔料を含む第３の顔料入りインクジェットインク、
（ｄ）色が青であり、約２５０〜約３２０の色相角を有し、かつ、第４ビヒクルおよびブルー顔料着色剤を含む第４の顔料入りインクジェットインク、
（ｅ）色が赤であり、約１０〜約７０の色相角を有し、かつ、第５ビヒクルおよびレッド顔料着色剤を含む第５の顔料入りインクジェットインク、ならびに
（ｆ）色が緑であり、約１２０〜約１８０の色相角を有し、かつ、第６ビヒクルおよびグリーン顔料着色剤を含む第６の顔料入りインクジェットインク
を含むインクジェット・インクセットが提供される。
【００２４】
「ある」具体的な色顔料についての言及は一般に、当該色の１つ以上の顔料を意味する。例えば、「マゼンタ顔料」は１つ以上のマゼンタ顔料を意味する。「ある」具体的な色顔料着色剤についての言及は一般に、当該色の１つ以上の顔料、または当該色を達成するための異なる色に着色された顔料の組合せを意味する。例えば、「ブルー顔料着色剤」は１つ以上のブルー顔料、または青色をもたらす様々な顔料（マゼンタおよびシアンなど）の組合せを意味する。
【００２５】
少なくともＣＹＭＲＧＢインクセットの一実施形態では、それぞれのインクの総重量を基準にして、第１、第２および第３インクのそれぞれ中の顔料含量は個々に約１．５重量％〜約４重量％であり、第４、第５および第６インクのそれぞれ中の顔料含量は個々に約４重量％〜約９重量％である。
【００２６】
ＣＹＭＲＧＢインクセットの別の実施形態では、第１、第２、第３、第４、第５および第６インクのそれぞれ中の顔料含量は個々に、それぞれのインクの総重量を基準にして約１．５重量％〜約４重量％である。
【００２７】
好ましくは、インクセットは上に記載された特性の様々な組合せを有する。同様に好ましくは、インクジェット・インクセットはブラック顔料入りインクジェットインクをさらに含む。
【００２８】
ＣＹＭＲＧＢインクセットの一利点は拡大された色域である。別の利点は、ＣＹＭインクの濃度が（ＣＹＭで二次色を作る必要性をなくすことによって）低く保たれるので、改善された画像品質（粒状性の少ない明るい色調）である。別の利点は、ＲＧＢインクの存在のためにより望ましい二次色であり、加えて、二次色はより低いインク・ロードで達成される。さらに別の利点は、ＲＧＢを使用することによって達成されるより魅力的な複合黒である。
【００２９】
本発明のさらに別の態様に従って、上記のようなインクジェットインクまたはインクジェット・インクセットを装着した、デジタルデータ信号に応答するインクジェットプリンターが提供される。好ましくはプリンターはページ幅のプリントヘッド・アレイをさらに装備する。
【００３０】
本発明のさらに別の態様では、
（ａ）デジタルデータ信号に応答するインクジェットプリンターを提供する工程と、
（ｂ）印刷されるべき基材をプリンターに装着する工程と、
（ｃ）上に記載されるおよび下にさらに詳細に説明されるようなインクジェットインクまたはインクジェット・インクセットをプリンターに装着する工程と、
（ｄ）デジタルデータ信号に応答してインクまたはインクジェット・インクセットを用いて基材へ印刷する工程と
を含む、基材へのインクジェット印刷方法が提供される。
【００３１】
好ましい基材には、普通紙、写真用紙およびテキスタイルが含まれる。
【００３２】
本発明のこれらのおよび他の特徴および利点は、次の詳細な説明を読むことで当業者によってより容易に理解されるであろう。明確にするために、個々の実施形態との関連で上におよび下に記載される本発明の幾つかの特徴はまた、単一の実施形態で組み合わせて提供されてもよいことが理解されるべきである。逆に、簡潔にするために、単一の実施形態との関連で記載される本発明の様々な特徴はまた、別々にまたは任意のサブコンビネーションで提供されてもよい。加えて、単数形での言及にはまた、文脈が特に明記しない限り複数形が含まれてもよい（例えば、単数形（「（ａ）」および「（ａｎ）」）は１つ、または１つ以上を意味してもよい）。さらに、範囲で述べられた値への言及には、当該範囲内の各値およびあらゆる値が含まれる。
【発明を実施するための最良の形態】
【００３３】
着色インク
着色インクはビヒクル、好ましくは水性ビヒクル、および着色剤を含む。着色剤は、インクビヒクルに可溶である（染料）または分散する（顔料）ことができる。本発明による、または本発明に従って使用される赤、緑および青色インクは、少なくとも１つの顔料を含み、好ましくは顔料の組合せを含む。インクは染料をさらに含んでもよいが、着色剤は依然として主に顔料である。顔料入りインクに加えて、本発明によるインクセットは、必要とされる顔料ベースのインクジェットインクに加えて１つ以上の染料ベースのインクを含んでもよい。
【００３４】
着色剤は、染色業者および着色者協会、英国ヨークシャー、ブラッドフォード（Ｓｏｃｉｅｔｙ  Ｄｙｅｒｓ  ａｎｄ  Ｃｏｌｏｕｒｉｓｔｓ，Ｂｒａｄｆｏｒｄ，Ｙｏｒｋｓｈｉｒｅ，ＵＫ）によって確立され、カラー・インデックス、第３版（Ｔｈｅ  Ｃｏｌｏｒ  Ｉｎｄｅｘ，Ｔｈｉｒｄ  Ｅｄｉｔｉｏｎ）、１９７１年に公表されたそれらの「Ｃ．Ｉ．」呼称によって本明細書では言及される。当該呼称は、名称の一部として知覚色を用いるが、何が橙、赤、紫、青、緑などを構成するかについての公式なスペクトル定義は全くない。本発明の目的のためには、インク色は次のような色相角範囲によって命名されるであろう。
【００３５】
2008504399.tif 000004
【００３６】
インクジェット・インクセット用の着色剤を選ぶ際に、所与の色についての色相角は好ましくは下記の範囲内に入る。
【００３７】
2008504399.tif 000005
【００３８】
色相角は、当業者によって一般に理解されるように、および下にさらに詳細に説明されるように、写真用紙などの高品質インクジェット媒体へインクを印刷し、そして分光計で色を測定することによって好ましくは求められる。
【００３９】
有用な顔料には、（シアン）ピグメント・ブルー（Ｐｉｇｍｅｎｔ  Ｂｌｕｅ）１５：３およびピグメント・ブルー１５：４；（マゼンタ）ピグメント・レッド（Ｐｉｇｍｅｎｔ  Ｒｅｄ）１２２およびピグメント・レッド２０２；（黄）ピグメント・イエロー（Ｐｉｇｍｅｎｔ  Ｙｅｌｌｏｗ）１４、ピグメント・イエロー７４、ピグメント・イエロー９５、ピグメント・イエロー１１０、ピグメント・イエロー１１４、ピグメント・イエロー１２８およびピグメント・イエロー１５５；（赤）ピグメント・オレンジ（Ｐｉｇｍｅｎｔ  Ｏｒａｎｇｅ）５、ピグメント・オレンジ３４、ピグメント・オレンジ４３、ピグメント・オレンジ６２、ピグメント・レッド１７、ピグメント・レッド４９：２、ピグメント・レッド１１２、ピグメント・レッド１４９、ピグメント・レッド１７７、ピグメント・レッド１７８、ピグメント・レッド１８８、ピグメント・レッド２５５およびピグメント・レッド２６４；（緑）ピグメント・グリーン（Ｐｉｇｍｅｎｔ  Ｇｒｅｅｎ）１、ピグメント・グリーン２、ピグメント・グリーン７およびピグメント・グリーン３６；（青）ピグメント・ブルー６０、ピグメント・バイオレット（Ｐｉｇｍｅｎｔ  Ｖｉｏｌｅｔ）３、ピグメント・バイオレット１９、ピグメント・バイオレット２３、ピグメント・バイオレット３２、ピグメント・バイオレット３６およびピグメント・バイオレット３８；ならびに（黒）カーボンブラックが含まれる。
【００４０】
好ましい顔料には、（シアン）ＰＢ１５：３およびＰＢ１５：４；（マゼンタ）ＰＲ１２２およびＰＲ２０２；（黄）ＰＹ７４、ＰＹ９５、ＰＹ１１０、ＰＹ１２８およびＰＹ１５５；（赤）ＰＲ１４９、ＰＲ１７７、ＰＲ１７８、ＰＲ２６４およびＰＯ３４；（緑）ＰＧ３６；ならびに（青）ＰＢ６０およびＰＶ２３が含まれる。
【００４１】
インクはまた、顔料の混合物から形成されてもよい。所与のインク中の「顔料含量」は、単一の顔料種であろうと２つ以上の顔料種の組合せであろうと、当該インク中に存在する総顔料を意味する。
【００４２】
顔料は、従来、ポリマー分散剤または界面活性剤などの分散剤によってビヒクル中の分散系に安定化される。しかしながらより最近になって、いわゆる「自己分散できる」または「自己分散する」顔料（本明細書では以下「ＳＤＰ」）が開発された。その名称が暗示するように、ＳＤＰは分散剤なしに水、または水性ビヒクル中に分散できる。このように、顔料は、自己分散するための表面処理によって（例えば、その開示がまるで完全に記載されているかのようにあらゆる目的のために本明細書に参照により援用される、国際公開第０１／９４４７６号パンフレットを参照されたい）、従来のやり方で分散剤での処理によって、または表面処理と分散剤とのある組合せによって分散系に安定化されてもよい。
【００４３】
好ましくは、分散剤が用いられる時、分散剤はランダムまたは構造化ポリマー分散剤である。好ましいランダムポリマーには、アクリルポリマーおよびスチレン−アクリルポリマーが含まれる。ＡＢ、ＢＡＢおよびＡＢＣブロックコポリマー、分岐ポリマーおよびグラフトポリマーを含む構造化分散剤が最も好ましい。幾つかの有用な構造化ポリマーは米国特許第５，０８５，６９８号明細書、ＥＰ−Ａ−０５５６６４９号明細書および米国特許第５，２３１，１３１号明細書（それらの開示はまるで完全に記載されているかのようにあらゆる目的のために本明細書に参照により援用される）に開示されている。
【００４４】
有用な顔料粒度は典型的には約０．００５ミクロン〜約１５ミクロンの範囲にある。好ましくは、顔料粒度は約０．００５ミクロン〜約５ミクロン、より好ましくは約０．００５ミクロン〜約１ミクロン、最も好ましくは約０．００５ミクロン〜約０．３ミクロンの範囲であるべきである。
【００４５】
ビヒクル
ビヒクルは任意の好適なビヒクルであることができるが、好ましくは水または水と少なくとも１つの水溶性有機溶剤（共溶剤）との混合物を意味する「水性ビヒクル」である。好適な混合物の選択は、所望の表面張力および粘度、選択された着色剤、インクの乾燥時間、およびインクが印刷される基材のタイプなどの、具体的用途の要件に依存する。選択されてもよい水溶性有機溶剤の代表的な例は、米国特許第５，０８５，６９８号明細書（その開示はまるで完全に記載されているかのようにあらゆる目的のために本明細書に参照により援用される）に開示されている。
【００４６】
水と水溶性溶剤との混合物が使用される場合、水性ビヒクルは典型的には約３０％〜約９５％水を含有し、残り（すなわち、約７０％〜約５％）は水溶性溶剤である。好ましい組成物は、水性ビヒクルの総重量を基準にして約６０％〜約９５％の水を含有する。
【００４７】
水性ビヒクルをベースにするインクは、界面活性剤またはグリコールエーテルおよび１，２−アルカンジオールなどの浸透剤を含めることによって速浸透性（速乾性）であるようにすることができる。グリコールエーテルには、エチレングリコールモノブチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソプロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルが含まれる。１，２−アルカンジオールは好ましくは１，２−Ｃ4〜6アルカンジオール、最も好ましくは１，２−ヘキサンジオールである。好適な界面活性剤には、エトキシル化アセチレンジオール（例えばＡｉｒ  Ｐｒｏｄｕｃｔｓ製のＳｕｒｆｙｎｏｌｓ（登録商標）シリーズ）、エトキシル化第一アルコール（例えばＳｈｅｌｌ製のＮｅｏｄｏｌ（登録商標）シリーズ）およびエトキシル化第二アルコール（例えばＵｎｉｏｎ  Ｃａｒｂｉｄｅ製のＴｅｒｇｉｔｏｌ（登録商標）シリーズ）、スルホスクシネート（例えばＣｙｔｅｃ製のＡｅｏｒｓｏｌ（登録商標）シリーズ）、オルガノシリコーン（例えばＷｉｔｃｏ製のＳｉｌｗｅｔ（登録商標）シリーズ）ならびにフルオロ界面活性剤（例えばＤｕＰｏｎｔ製のＺｏｎｙｌ（登録商標）シリーズ）が含まれる。
【００４８】
添加されるグリコールエーテルおよび１，２−アルカンジオールの量は、適切に決定されなければならないが、インクの総重量を基準にして、典型的には約１〜約１５重量％、より典型的には約２〜約１０重量％の範囲にある。界面活性剤は、インクの総重量を基準にして、典型的には約０．０１〜約５％、好ましくは約０．２〜約２％の量で使用されてもよい。
【００４９】
「非水性ビヒクル」は、その溶剤が極性および／または非極性であり得る、非水性溶剤またはかかる溶剤の混合物から実質的になるビヒクルを意味する。極性溶剤の例には、アルコール、エステル、ケトンおよびエーテル、特に、モノ−、ジ−およびトリ−プロピレングリコールのモノメチルエーテルならびにエチレン、ジエチレンおよびトリエチレングリコールのモノ−ｎ−ブチルエーテルなどのグリコールおよびポリグリコールのモノ−およびジ−アルキルエーテルが挙げられる。非極性溶剤の例には、少なくとも６個の炭素原子を有する脂肪族および芳香族炭化水素、ならびに精油所蒸留製品および副産物をはじめとするそれらの混合物が挙げられる。溶剤はまた、部分的に、または完全に、ＵＶ光の適用時に硬化する（ＵＶ硬化性）溶剤などの重合性溶剤を含んでいてもよい。
【００５０】
水が非水性ビヒクルに意図的に全く加えられない時でさえ、幾らかの付随的な水が調合物に持ち込まれるかもしれないが、一般にこれは約２〜４％以下であろう。定義によれば、本発明の非水性インクは、非水性ビヒクルの総重量を基準にして約１０重量％以下、好ましくは約５重量％以下の水を有するであろう。
【００５１】
他の成分
他の成分は、かかる他の成分がインクの安定性およびジェット可能性を妨げない程度までインクジェットインク中へ調合されてもよく、それは通常の実験で容易に決定されるかもしれない。かかる他の成分は一般的な意味で当該技術ではよく知られている。
【００５２】
ポリマーが耐久性を向上させるためにインクに添加されてもよい。該ポリマーはビヒクルに可溶であるまたは分散させることができ（例えば「エマルジョンポリマー」または「ラテックス」）、イオン性または非イオン性であることができる。有用なクラスのポリマーには、アクリル、スチレン−アクリルおよびポリウレタンが含まれる。
【００５３】
殺生物剤が微生物の増殖を抑えるために使用されてもよい。
【００５４】
エチレンジアミン四酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン−Ｎ，Ｎ，Ｎ’，Ｎ”，Ｎ”−五酢酸（ＤＴＰＡ）、およびグリコールエーテルジアミン−Ｎ，Ｎ，Ｎ’，Ｎ’−四酢酸（ＧＥＤＴＡ）、ならびにそれらの塩などの金属イオン封鎖（キレート）剤の包含は、例えば、重金属不純物の悪影響をなくすために有利であるかもしれない。
【００５５】
成分の割合
上に概略記載されたような、および当業者によって一般に認められるような、所望のインク特性を達成するために上記の成分を組み合わせて様々な割合および組合せのインクを製造することができる。幾つかの実験が特定の最終用途向けのインクを最適化するために必要であるかもしれないが、かかる最適化は一般に当業者の技術の範囲内である。
【００５６】
例えば、インク中のビヒクルの量は、水性であろうと非水性であろうと、典型的には、インクの総重量を基準にして、約７０重量％〜約９９．８重量％、好ましくは約８０重量％〜約９９．８重量％の範囲内にある。
【００５７】
着色インクでは、着色剤は一般に、インクの総重量を基準にして、約１２重量％以下の量で、より典型的には約１重量％〜約９重量％の範囲で存在するであろう。分散剤は、不溶性着色剤の安定化のために必要とされる場合、着色剤の量を基準にしたレベルで用いられ、通常重量比で表される。一般に、分散剤は約１：３〜約４：１の範囲の顔料対分散剤重量比で用いられる。
【００５８】
他の成分（添加剤）は、存在する場合、一般にインクの総重量を基準にして約１５重量％未満を含む。界面活性剤は、添加される場合、一般にインクの総重量を基準にして約０．２〜約３重量％の範囲にある。ポリマー定着剤以外のポリマーは、必要に応じて添加することができるが、一般にインクの総重量を基準にして約１５重量％未満であろう。
【００５９】
インク特性
落下速度、小滴の分離長さ、滴径および流れ安定性は、インクの表面張力および粘度によって大きく影響される。インクジェットインクは典型的には２５℃で約２０ダイン／ｃｍ〜約７０ダイン／ｃｍの範囲の表面張力を有する。粘度は２５℃で３０ｃＰほどに高いことができるが、典型的には幾分より低い（３０ｃＰ以下である）。インクは、噴出条件およびプリントヘッドデザインに合わせられている物理的特性を有する。インクは、インクジェット装置で有意な程度まで詰まらないように長期にわたって優れた貯蔵安定性を有するべきである。さらに、インクは、それが接触するインクジェット印刷装置の部品を腐食すべきでなく、かつ、それは本質的に無臭で、無毒であるべきである。
【００６０】
任意の特定の粘度範囲またはプリントヘッドに限定されないが、本発明で考慮される塗布はより低い粘度のインクを一般に必要とするであろう。このようにインクの粘度（２５℃での）は約７ｃｐｓ未満、約５ｃｐｓ未満、約３．５ｃｐｓ未満であることができる。
【００６１】
インクセット
用語「インクセット」は、ジェットするためにインクジェットプリンターに装着される流体すべてを意味する。これらの流体には、上に言及される少なくとも４つの着色インクが含まれる。例えば、印刷された画像の耐摩耗性および／また光沢を高めるために着色インクのすべての後に塗布されるであろう耐久性または光沢強化成分を含有する追加の無色インク（「トップコート」）などの他のインク（または流体）もまた存在することができよう。別のタイプのかかる流体は、それらの開示がまるで完全に記載されているかのようにあらゆる目的のために本明細書に参照により援用される、米国仮特許出願第６０／５３３０６８号明細書（２００３年１２月２９日出願）の優先権を主張する、本願と所有権者を同じくする米国特許出願第１１／０１３１２８号明細書（２００４年１２月１５日出願）に開示されているような、（好ましくは無色の）定着剤流体である。
【００６２】
本明細書に規定されるインクセットは、赤、緑および青色から選択される二次色である少なくとも１つのインクを含む。これらの赤、緑および青色インクの任意の１つまたはすべてが、一次（ＣＹＭ）顔料着色剤の混合物である着色剤を含む（そして好ましくは）含むことができる。通常、インクセットは一次色、ＣＹＭのインクを含むであろうし、そして赤、緑および青色インク中の着色剤がＣＹＭ顔料の混合物を含んでなる場合、一次色に使用されるものと同じＣＹＭ顔料を混合二次色に使用することが有利である。
【００６３】
一次および二次色の６色インクセット、ＣＹＭＲＧＢは、
ＰＢ１５：３および／またはＰＢ１５：４の１つまたは任意の組合せから選択された着色剤入りシアンインク、
ＰＲ１２２入りマゼンタインク、
ＰＹ７４、９５、１１０、１２８および１５５の１つまたは任意の組合せから選択された着色剤入り黄色インク、
ＰＯ３４、ＰＲ１４９、ＰＲ１７７、ＰＲ１７８およびＰＲ２６４の１つまたは任意の組合せから選択された着色剤入り赤色インク、
ＰＧ３６入り緑色インク、ならびに
ＰＢ６０およびＰＶ２３の１つまたは任意の組合せから選択された着色剤入り青色インク
を含むことができる。
【００６４】
６色セット中のＲＧＢインクの任意のものまたはすべてが、本明細書で前述したようなＣＹＭ顔料の混合物である着色剤を含むことができる。
【００６５】
赤色インクは、少なくとも１つのマゼンタ顔料、好ましくはＰＲ１２２と、ＰＹ７４、ＰＹ９５、ＰＹ１１０、ＰＹ１２８およびＰＹ１５５からなる群から好ましくは選択された少なくとも１つのイエロー顔料とを含む混合Ｍ／Ｙ着色剤を含むことができる。
【００６６】
緑色インクは、ＰＢ１５：３およびＰＢ１５：４からなる群から好ましくは選択された少なくとも１つのシアン顔料と、ＰＹ７４、ＰＹ９５、ＰＹ１１０、ＰＹ１２８およびＰＹ１５５からなる群から好ましくは選択された少なくとも１つのイエロー顔料とを含む混合Ｃ／Ｙ着色剤を含むことができる。
【００６７】
青色インクは、少なくとも１つのマゼンタ顔料、好ましくはＰＲ１２２と、ＰＢ１５：３およびＰＢ１５：４からなる群から選択された少なくとも１つのシアン顔料とを含む混合Ｍ／Ｃ着色剤を含むことができる。
【００６８】
いかなるインクセットも、顔料ベースの黒色インク、特にカーボンブラック顔料を含む黒色インクをさらに含むことができる。
【００６９】
インクセットのインクのそれぞれは個々に、ビヒクル、好ましくは水性ビヒクル、適切な着色剤および任意の添加剤を成分割合で含み、上記のような特性を有する。
【００７０】
プリンター
本発明のインクセットは、ジェットされたインクの体積を減らすために有利であり、それ故、インクすべてをワンパスで塗布するインクジェットプリンターによる塗布に特に好適である。かかるプリンターは、例えば、所定の位置に固定されているプリントヘッド・アレイ（固定アレイ）を装備したものであることができる。
【００７１】
プリンターは、例えば、米国特許第６，４４３，５５５号明細書（その開示はまるで完全に記載されているかのようにあらゆる目的のために本明細書に参照により援用される）に記載されているものに類似であることができる。かかるプリンター用のプリントヘッドは、例えば、米国特許第６，４２６，０１４号明細書および米国特許出願公開第２００２／００３３８６３号明細書（それらの開示もまたまるで完全に記載されているかのようにあらゆる目的のために本明細書に参照により援用される）に記載されているものであることができる。インクジェットプリンターはデジタルデータ信号に応答する。
【００７２】
固定アレイプリンターは一般に、少なくとも約６００ｄｐｉ、好ましくは少なくとも約１２００ｄｐｉ、より好ましくは少なくとも約１６００ｄｐｉを印刷することができるであろう。印刷は好ましくはワンパスで行われ、こうしてプリントヘッドは、印刷ゾーンによって基材のワンパスで規定ｄｐｉを達成するように配置構成される。
【００７３】
印刷ゾーンの幅は、印刷をワンパスで迅速に行うことができるように、印刷されるべき区域の幅と同じくらい少なくとも幅広い。従って、この種のプリントヘッドはページ幅アレイまたは全幅アレイと一般に言われる。いわゆる「ＳＯＨＯ」（小さなオフィス、ホームオフィス）および「ネットワーク」印刷のために、印刷ゾーンの幅は少なくとも、例えばＡ４サイズ紙および／または手紙サイズ（８．５×１１インチ）紙などの標準紙のような幅である。いわゆる「幅広フォーマット」印刷のために、印刷ゾーンは好ましくは少なくとも約３６インチ幅であり、ロールから供給される媒体を受け入れることができる。
【００７４】
プリントヘッドから噴出されたインク小滴は任意の好適な体積のものであることができるが、好ましくは小滴は約１０ｐＬ未満であり、より好ましくは約１〜約５ｐＬ、さらにより好ましくは約１〜約２ｐＬの範囲にある。
【００７５】
基材
本発明での使用に好適な基材は、当業者に公知の任意の有用な基材であることができる。例えば、基材は、一般の電子写真複写紙などの普通紙であることができる。基材はまた、マイクロポーラスペ−パー、ポリマー被覆紙および該２つのハイブリッドなどの特殊メディアであることもできる。基材は塩化ビニルおよびポリエステルなどのポリマーフィルムであることができる。ポリマーフィルムは標識、掲示板およびバナーなどの幅広フォーマット用途で特に有用である。基材は、スパンボンドポリオレフィン（例えばＴｙｖｅｋ（登録商標）、ＤｕＰｏｎｔ  Ｃｏ．）などの不織布であることができる。基材はまた、絹、コットン、ナイロンおよびポリエステルなどの織布であることもできる。
【実施例】
【００７６】
構造化ポリマーを分散剤として用いた。分散剤Ａはメタクリル酸ベンジルとメタクリル酸とのブロックコポリマー（１３／／１０）であった。分散剤Ｂは、ＰＯＥＡがアクリル酸フェノキシエチルを意味し、ＥＴＥＧＭＡがエトキシトリエチレングリコールメタクリレートを意味する、ＰＯＥＡ−ｇ−ＥＴＥＧＭＡ／メタクリル酸（６６−ｇ−４／３０）のグラフトコポリマーであった。模範的な調製方法は、米国特許第６，７４２，８６９号明細書（その開示はまるで完全に記載されているかのようにあらゆる目的のために本明細書に参照により援用される）に「分散剤１」および「分散剤２」の見出しで記載されている。
【００７７】
シアン分散系１
ＰＢ１５：４を、ＫＯＨで中和した分散剤Ａと共に（１．５の顔料／分散剤重量比）２ロールミルで粉砕した。生じたチップを水中へ落として１５重量％顔料の濃厚な分散系を製造した。
【００７８】
シアン分散系２
水中９．９重量％顔料のＣａｂｏｔ  Ｃｏｒｐｏｒａｔｉｏｎから入手した自己分散シアン顔料分散系（Ｃａｂ−ｏ−Ｊｅｔ  ２５０Ｃ）。
【００７９】
マゼンタ分散系１
ＰＲ１２２を、ＫＯＨで中和した分散剤Ａと共に（１．５の顔料／分散剤重量比）２ロールミルで粉砕した。生じたチップを水中へ落として１５重量％顔料の濃厚な分散系を製造した。
【００８０】
マゼンタ分散系２
水中９．７重量％顔料のＣａｂｏｔ  Ｃｏｒｐｏｒａｔｉｏｎから入手した自己分散マゼンタ顔料分散系（Ｃａｂ−ｏ−Ｊｅｔ  ２６０Ｍ）。
【００８１】
イエロー分散系１
ＰＹ１２８を、ＫＯＨで中和した分散剤Ａと共に（１．２２の顔料／分散剤重量比）２ロールミルで粉砕した。生じたチップを水中へ落として１５重量％顔料の濃厚な分散系を製造した。
【００８２】
イエロー分散系２
水中１０．２重量％顔料のＣａｂｏｔ  Ｃｏｒｐｏｒａｔｉｏｎから入手した自己分散イエロー顔料分散系（Ｃａｂ−ｏ−Ｊｅｔ  ２７０Ｙ）。
【００８３】
レッド分散系
ＰＲ１４９を、ＫＯＨで中和した分散剤Ａと共に（１．５の顔料／分散剤重量比）２ロールミルで粉砕した。生じたチップを水中へ落として１５重量％顔料の濃厚な分散系を製造した。
【００８４】
グリーン分散系
ＰＧ３６を、ＫＯＨで中和した分散剤Ｂと共に（１．５の顔料／分散剤重量比）メディアミルで粉砕した。生じたスラリーを水で希釈して１５重量％顔料の濃厚な分散系を製造した。
【００８５】
ブルー分散系
ＰＢ６０を、ＫＯＨで中和した分散剤Ａと共に（４．０の顔料／分散剤重量比）２ロールミルで粉砕した。生じたチップを水中へ落として１５重量％顔料の濃厚な分散系を製造した。
【００８６】
インクの調製
インクを次の配合表に従って調製した。成分を一緒に混合し、濾過した。水は脱イオンした。Ｓｕｒｆｙｎｏｌ（登録商標）４６５はＡｉｒ  Ｐｒｏｄｕｃｔｓ  Ｃｏｒｐ（Ａｌｌｅｎｔｏｗｎ，ＰＡ，ＵＳＡ）製の界面活性剤である。Ｐｒｏｘｅｌ（登録商標）ＧＸＬはＡｖｅｃｉａ（Ｗｉｌｍｉｎｇｔｏｎ，ＤＥ，ＵＳＡ）製の殺生物剤である。割合は、特に明記しない限り、インクの総重量を基準にするパーセント重量である。
【００８７】
2008504399.tif 000006
【００８８】
2008504399.tif 000007
【００８９】
2008504399.tif 000008
【００９０】
2008504399.tif 000009
【００９１】
インクＲ１レシピを用いて追加の赤色インクを、顔料濃度を調節することによって製造した。インクＲ２を２重量％顔料で、インクＲ３を３重量％顔料で、インクＲ４を４重量％顔料で、インクＲ５を５重量％顔料で、インクＲ６を６重量％顔料で、そしてインクＲ７を７重量％顔料で製造した。
【００９２】
2008504399.tif 000010
【００９３】
インクＢ１レシピを用いて追加の青色インクを、顔料濃度を調節することによって製造した。インクＢ２を２重量％顔料で、インクＢ３を３重量％顔料で、インクＢ４を４重量％顔料で、インクＢ５を５重量％顔料で、インクＢ６を６重量％顔料で、そしてインクＢ７を７重量％顔料で製造した。
【００９４】
2008504399.tif 000011
【００９５】
インクＧ１レシピを用いて追加の緑色インクを、顔料濃度を調節することによって製造した。インクＧ２を２重量％顔料で、インクＧ３を３重量％顔料で、インクＧ４を４重量％顔料で、インクＧ５を５重量％顔料で、インクＧ６を７重量％顔料で、そしてインクＧ７を８重量％顔料で製造した。
【００９６】
2008504399.tif 000012
【００９７】
測定
インクを、特に明記しない限り、Ｃａｎｏｎ  ｉ５５０プリンターを用いてＥｐｓｏｎ  Ｐｒｅｍｉｕｍ  Ｇｌｏｓｓｙ  Ｐｈｏｔｏ  Ｐａｐｅｒへ印刷した。色値は、Ｇｒｅｙｔａｇ−Ｍａｃｂｅｔｈ  Ｓｐｅｃｔｒｏｌｉｎｏ分光計を用いて測定した。
【００９８】
色域体積は、その開示がまるで完全に記載されているかのようにあらゆる目的のために本明細書に参照により援用される、本願と所有権者を同じくする米国特許出願公開第２００４／０１００６４３号明細書に記載された方法に従って計算した。体積はＬ*ａ*ｂ*の千単位で報告する。
【００９９】
実施例１
混合Ｍ／Ｙ顔料赤色インクＲ８〜Ｒ１１の印刷サンプルを、レッド顔料入り赤色インク、インクＲ１、およびインクＹ３とインクＭ３各１００％とを印刷することによって作った複合赤色と比較する。各ケースで、面積当たりの全顔料は同じ（８％）である。
【０１００】
2008504399.tif 000013
【０１０１】
混合Ｍ／Ｙ顔料赤色インクＲ８〜Ｒ１１は、匹敵する彩度でより高い光学密度およびより低いＬ*値を提供するのに有利である。
【０１０２】
実施例２
混合Ｃ／Ｍ顔料青色インクＢ８〜Ｂ１１の印刷サンプルを、ブルー顔料入り青色インク、インクＢ１、およびインクＣＹ３とインクＭ３各１００％とを印刷することによって作った複合青色と比較する。各ケースで、面積当たりの全顔料は同じ（８％）である。
【０１０３】
2008504399.tif 000014
【０１０４】
混合Ｃ／Ｍ顔料青色インクＢ８〜Ｂ１１は、匹敵する彩度でより高い光学密度およびより低いＬ*値を提供するのに有利である。
【０１０５】
実施例３
混合Ｃ／Ｙ顔料緑色インクＧ８〜Ｇ１１の印刷サンプルを、グリーン顔料入り緑色インク、インクＧ１、およびインクＣＹ３とインクＹ３各１００％とを印刷することによって作った複合緑色と比較する。各ケースで、面積当たりの全顔料は同じ（８％）である。
【０１０６】
2008504399.tif 000015
【０１０７】
混合Ｃ／Ｙ顔料緑色インクＧ８〜Ｇ１１は、匹敵する彩度でより高い光学密度およびより低いＬ*値を提供するのに有利である。
【０１０８】
実施例４
ＤＯＩおよび光沢への顔料濃度の影響を次の表にまとめる。
【０１０９】
2008504399.tif 000016
【０１１０】
2008504399.tif 000017
【０１１１】
使用したインクは青色インクＢ２〜Ｂ７およびＢ１、緑色インクＧ２〜Ｇ５、Ｇ１およびＧ６〜Ｇ７、赤色インクＲ２〜８およびＲ１、シアンインクＣＹ１〜ＣＹ３、マゼンタインクＭ１〜Ｍ３、ならびに黄色インクＹ１〜Ｙ３であった。
【０１１２】
３０以上のＤＯＩ値は、それが鋭い明確な反映像を示すので有利である。高い光沢およびＤＯＩの両方が高品質画像にとって重要である。両特性は顔料濃度に関係し、約３〜４％より高い顔料使用量で顕著に低下する。
【０１１３】
実施例５
次の表は、様々な顔料濃度のＣＹＭＫおよびＣＹＭＫＲＧＢインクセットについての色域値をまとめる。
【０１１４】
黒色インクを、異なるインクセット間でより良好な比較を提供するために使用されるインクセットに含めた。黒色インクなしでは、色域のための黒値は、使用された異なる色の混合物から得られた。追加色がインクセットに加えられるので、色を混合することから得ることができた黒は従って変化した。この影響を回避し、よりバランスのとれた比較を提供するために、標準の黒色インクを色域体積評価に使用した。黒色インクは、ＣＹＭ調合物をベースにし、顔料として（３．５重量％）の自己分散カーボンブラックを使用した。
【０１１５】
最高の色域は、低（約２〜４％）濃度のＣＭＹおよび高（約４〜９％）濃度のＲＧＢで得られた。高濃度のＲＧＢは暗い有彩色を生み出した。より低濃度のＣおよびＭは魅力的なより明るい色調を可能にした。これは、光沢およびＤＯＩが要因ではない普通紙への印刷にとって良好な組合せであった。
【０１１６】
最良の光沢およびＤＯＩは、より低い顔料使用量で得られた。このように、写真印刷などの用途向けには、すべてのインクでの顔料使用量が約４％未満であるＣＹＭＲＧＢインクセットが、（ＣＹＭＫセットと比較して）色域を犠牲にすることなく良好な光沢およびＤＯＩを可能にした。
【０１１７】
2008504399.tif 000018
【国際調査報告】
2008504399.tif 000019
2008504399.tif 000020